(57)【要約】【課題】電源が接続される箇所の排水効果を高め、短絡（発火）又は漏電の発生を防ぐ排水槽構造を有する照明装置を提供する。【解決手段】排水槽構造を有する照明装置は、ランプホルダー１１、ランプアセンブリ及びランプカバー３１を備える。ランプホルダー１１は、上向きの第１の端面１２と、第１の端面１２と表裏の関係にある第２の端面とを有する。第１の端面１２には、嵩上げ部１４が突設される。嵩上げ部１４上には、凹部１４１及び少なくとも１つの排水チャネル１４２が形成される。排水チャネル１４２は、一端が凹部１４１に連通し、他端が外方に延びて嵩上げ部１４の外周側に連通する。ランプアセンブリは、ランプホルダー１１の第２の端面上に接続されるとともに、嵩上げ部１４に挿設された電源接続部を含む。ランプカバー３１は、ランプホルダー１１上に着脱可能に結合され、第２の端面上に位置するランプアセンブリを覆う。【選択図】図１
0003226319.tif 000002
【実用新案登録請求の範囲】
【請求項１】
ランプホルダー、ランプアセンブリ及びランプカバーを備えた、排水槽構造を有する照明装置であって、
前記ランプホルダーは、上向きの第１の端面と、前記第１の端面と表裏の関係にある第２の端面と、を有し、前記第１の端面には、嵩上げ部が突設され、前記嵩上げ部上には、凹部及び少なくとも１つの排水チャネルが形成され、前記排水チャネルは、一端が凹部に連通し、他端が外方に延びて前記嵩上げ部の外周側に連通し、
前記ランプアセンブリは、前記ランプホルダーの前記第２の端面上に接続されるとともに、前記嵩上げ部に挿設された電源接続部を含み、
前記ランプカバーは、前記ランプホルダー上に着脱可能に結合され、前記第２の端面上に位置する前記ランプアセンブリを覆うことを特徴とする、排水槽構造を有する照明装置。
【請求項２】
前記排水チャネルは、前記嵩上げ部の外周側に向かって下斜め前方に傾斜し、
前記凹部は、前記嵩上げ部の中心部に位置し、
前記ランプアセンブリの前記電源接続部は、間隔をおいて設けられた２つの引っ掛け爪により構成され、
前記引っ掛け爪は、一端が前記第２の端面上にそれぞれ接続され、他端が前記嵩上げ部に上向きに挿通され、前記凹部の互いに対向する側に位置することを特徴とする請求項１に記載の排水槽構造を有する照明装置。
【請求項３】
前記ランプアセンブリは、ＬＥＤ基板と、点灯回路と、２つの前記引っ掛け爪と、から構成され、
前記ＬＥＤ基板及び前記点灯回路は、前記ランプホルダーの前記第２の端面上に取付けられ、
前記第２の端面上には、２つの前記引っ掛け爪をそれぞれ取り付ける２つの組立ベースが設けられ、
前記ＬＥＤ基板上には、複数のＬＥＤ発光部材が設けられ、前記ＬＥＤ基板の中心部には、開口が形成され、前記ＬＥＤ基板が前記第２の端面上に取付けられると、前記点灯回路及び前記組立ベースが前記開口中にちょうどよく収納されることを特徴とする請求項２に記載の排水槽構造を有する照明装置。
【請求項４】
前記ランプホルダーは、前記第２の端面の周縁に接続端が形成されるとともに、前記接続端上には、複数の第１の係合部が間隔をおいて設けられ、
前記ランプカバーは、前記第２の端面を向く端口を有し、前記端口上には、前記第１の係合部に対応して係合する第２の係合部が設けられ、
前記第２の係合部は、前記端口の周囲に沿って凹設された嵌槽により構成され、前記端口上には、各前記第１の係合部に対応した複数の切欠きが形成され、各前記第１の係合部が、対応した前記切欠きを介して前記嵌槽中に挿入されてから、前記ランプカバーを回転させて各前記第１の係合部を前記嵌槽中に係合させると、前記ランプカバーが前記ランプホルダー上に結合されることを特徴とする請求項１に記載の排水槽構造を有する照明装置。
【請求項５】
前記ランプホルダーは、前記第２の端面の周縁に設けられた接続端を有し、前記接続端上には、複数の第１の係合部が間隔をおいて設けられ、
アダプタリングは、内周面及び外周面を有し、
前記内周面上には、各第１の係合部に対応して係合される複数の第２の係合部が設けられ、前記外周面上には複数の第３の係合部が設けられ、前記ランプカバーは、前記第２の端面を向く端口を有し、端口上には、前記第３の係合部が対応して係合される複数の第４の係合部が設けられ、前記外周面の外径寸法と、前記ランプカバーの前記端口寸法を互いに対応させ、前記ランプカバーは、前記アダプタリングを介して前記ランプホルダー上に結合されることを特徴とする請求項１に記載の排水槽構造を有する照明装置。
【考案の詳細な説明】
【技術分野】
【０００１】
本考案は、照明装置に関し、特に、排水槽構造を有する照明装置に関する。
【背景技術】
【０００２】
照明装置は日常生活に必要な必需品であり、シーリングライトを例にとると、それは主に、ランプホルダーの背面の電源接続部を介し、天井板に固設された電源供給ベースと組み合わせ、照明装置に必要な電力が供給されていた。しかし、浴室、トイレ、台所、屋外などの湿度が高い環境で使用する場合、ランプホルダーの電源接続部と電源供給ベースとのつなぎ目に湿気が溜まり、電源が接続される箇所が吸湿して錆が発生し、接触不良となり、ランプが容易に故障し、湿気により電源の接続箇所に短絡（発火）又は漏電が発生して使用者に危険を及ぼす虞があった。
【考案の概要】
【考案が解決しようとする課題】
【０００３】
本考案の第１の目的は、電源が接続される箇所の排水効果を高め、短絡（発火）又は漏電の発生を防ぐ排水槽構造を有する照明装置を提供することにある。
本考案の第２の目的は、照明装置全体の厚みが薄い排水槽構造を有する照明装置を提供することにある。
本考案の第３の目的は、アダプタリングを介して異なる寸法規格のランプカバーを照明装置に接続する排水槽構造を有する照明装置を提供することにある。
【課題を解決するための手段】
【０００４】
上記課題を解決するために、本考案の第１の形態によれば、ランプホルダー、ランプアセンブリ及びランプカバーを備えた、排水槽構造を有する照明装置であって、前記ランプホルダーは、上向きの第１の端面と、前記第１の端面と表裏の関係にある第２の端面と、を有し、前記第１の端面には、嵩上げ部が突設され、前記嵩上げ部上には、凹部及び少なくとも１つの排水チャネルが形成され、前記排水チャネルは、一端が凹部に連通し、他端が外方に延びて前記嵩上げ部の外周側に連通し、前記ランプアセンブリは、前記ランプホルダーの前記第２の端面上に接続されるとともに、前記嵩上げ部に挿設された電源接続部を含み、前記ランプカバーは、前記ランプホルダー上に着脱可能に結合され、前記第２の端面上に位置する前記ランプアセンブリを覆うことを特徴とする、排水槽構造を有する照明装置が提供される。
【図面の簡単な説明】
【０００５】
【図１】図１は、本考案の第１実施形態に係る排水槽構造を有する照明装置を示す組立斜視図である。
【図２】図２は、本考案の第１実施形態に係る排水槽構造を有する照明装置を示す組立側面図である。
【図３】図３は、図２のＡ部分の拡大図である。
【図４】図４は、本考案の第１実施形態に係る排水槽構造を有する照明装置を示す分解斜視図である。
【図５】図５は、本考案の第１実施形態に係る排水槽構造を有する照明装置を示す分解斜視図である。
【図６】図６は、本考案の第２実施形態に係る排水槽構造を有する照明装置を示す分解斜視図である。
【図７】図７は、本考案の第２実施形態に係る排水槽構造を有する照明装置を示す組立斜視図である。
【図８】図８は、本考案の第２実施形態に係る排水槽構造を有する照明装置を示す斜視図である。
【考案を実施するための形態】
【０００６】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【０００７】
（第１実施形態）
図１〜図５を参照する。図１〜図５に示すように、本考案の第１実施形態に係る排水槽構造を有する照明装置は、少なくともランプホルダー１１、ランプアセンブリ２１及びランプカバー３１から構成されてなる。
【０００８】
ランプホルダー１１は、上向きの第１の端面１２と、第１の端面１２と表裏の関係にある第２の端面１３と、を有する。ここで「上向き」とは、ランプホルダー１１が電源供給ベース（図示せず）を向く方向のことである。第１の端面１２の中心部には、嵩上げ部１４が一体に突設形成されている。嵩上げ部１４上には、凹部１４１及び２つの排水チャネル１４２が形成されている。凹部１４１は、嵩上げ部１４の中心部に位置する。２つの排水チャネル１４２は、一端が凹部１４１に連通し、他端が外方に延びて嵩上げ部１４の外周側に連通する。図３に示すように、２つの排水チャネル１４２は、嵩上げ部１４の外周側に向かって下斜め前方に傾斜されているため、高い排水効率が得られる。
【０００９】
ランプアセンブリ２１は、ランプホルダー１１の第２の端面１３上に接続される。図４及び図５に示すように、第１実施形態のランプアセンブリ２１は、ＬＥＤ基板２２と、点灯回路２３と、２つの引っ掛け爪２４と、から構成されてなる。ＬＥＤ基板２２及び点灯回路２３は、ランプホルダー１１の第２の端面１３上に直接取付けられ、点灯回路２３及びＬＥＤ基板２２と電線により電気的に接続され、第２の端面１３上には、２つの引っ掛け爪２４をそれぞれ取り付ける２つの組立ベース１３１が設けられ、２つの引っ掛け爪２４の一端は、第２の端面１３の対応した組立ベース１３１中に取付けられ、電線を介して２つの引っ掛け爪２４と点灯回路２３とが電気的に接続される。２つの引っ掛け爪２４の他端は、嵩上げ部１４に上向きに挿通され、凹部１４１の互いに対向する側（図１を併せて参照する）に位置し、２つの引っ掛け爪２４が嵩上げ部１４に上向きに挿通された部分により電源接続部が構成され、天井板上の電源供給ベース（図示せず）にねじ回して固着され、電気的に導通する。ＬＥＤ基板２２上には、複数のＬＥＤ発光部材２２１が設けられ、ＬＥＤ基板２２の中心部には、開口２２２が形成される。図５に示すように、ＬＥＤ基板２２が第２の端面１３上に取付けられると、点灯回路２３及び組立ベース１３１を開口２２２中にちょうどよく収納することができる。
【００１０】
ランプカバー３１は、ランプホルダー１１上に着脱可能に結合され、第２の端面１３上に位置するランプアセンブリ２１を覆う。第１実施形態において、ランプホルダー１１は筒状を呈し、第２の端面１３の周縁に沿って下向きに延びた接続端１１１を有するとともに、接続端１１１の内面上には、間隔をおいて複数の第１の係合部１５が突設される。ランプカバー３１は、第２の端面１３を向く端口３２を有し、端口３２上には、第１の係合部１５に対応して係合する第２の係合部３３が設けられる。第２の係合部３３は、端口３２の外周囲に沿って凹設された嵌槽により構成され、端口３２のランプホルダー１１の端面に向かう端面上には、各第１の係合部１５に対応した複数の切欠き３２１が形成され、各第１の係合部１５は、対応した切欠き３２１を介して嵌槽（即ち、第２の係合部３３）中に挿入させてから、ランプカバー３１を回転させて各第１の係合部１５を嵌槽中に係合させると、ランプカバー３１がランプホルダー１１上に結合され、第１実施形態の照明装置が完成する。
【００１１】
上述したことから分かるように、本考案に係る排水槽構造を有する照明装置は、以下（１）〜（３）の長所を有する。
（１）ランプホルダー１１の第１の端面１２上には、嵩上げ部１４が一体に突設形成され、嵩上げ部１４には、凹部１４１及びその排水チャネル１４２が凹設され、第１実施形態の照明装置を天井板上の電源供給ベースに取付けるとき、２つの引っ掛け爪２４が構成する電源接続部と電源供給ベースとのつなぎ目に入り込んだ湿気が凹部１４１中に集められて水滴が形成され、排水チャネル１４２からスムーズに外部に排出され、電源が接続される箇所が吸湿して悪影響を受け、短絡（発火）又は漏電が発生することを防ぐことができる。
（２）照明装置は、ランプアセンブリ２１をランプホルダー１１の第２の端面１３上に取付け、嵩上げ部１４に上向きに挿通された２つの引っ掛け爪２４の一部がねじ回されて、電源供給ベースに直接接続され、２つの引っ掛け爪２４により構成された電源接続部は、引っ掛けることができる長所を有するため（即ち、電力供給機能及び吊下げ機能を有するため）、ランプホルダー１１は、ねじにより電源供給ベースに接続する必要がないため、ランプホルダー１１に形成される孔の数を大幅に減らし、照明装置を組立てた後の密閉性を大幅に高めることができる。
（３）照明装置は、ＬＥＤ基板２２の中心位置に開口２２２が形成され、ＬＥＤ基板２２を第２の端面１３上に組立てると、点灯回路２３及び組立ベース１３１が開口中に収納されるため、ランプアセンブリ２１の組立厚さが大幅に小さくなり、照明装置全体を薄くすることができる。
【００１２】
（第２実施形態）
図６〜図８を参照する。図６〜図８に示すように、本考案の第２実施形態の排水槽構造を有する照明装置は、同様にランプホルダー１１が筒状を呈し、第１実施形態と異なり、第２の端面１３の周縁に沿って接続端１１１が下向きに延び、接続端１１１の内面上には、複数の第１の係合部１５が間隔をおいて突設され、接続端１１１が係合されるアダプタリング４１を有するため、第２実施形態に係る照明装置は、第１実施形態と同様の長所を有する他、アダプタリング４１を介して寸法規格が異なるランプカバー５１を接続することができる。
【００１３】
図６及び図７に示すように、アダプタリング４１は、内周面４２及び外周面４３を有する。内周面４２上には、各第１の係合部１５に対応して係合される複数の第２の係合部４２１が設けられ、外周面４３上には複数の第３の係合部４３１が設けられる。前述した異なる規格のランプカバー５１は、第２の端面１３を向く端口５２を有し、端口５２上には、第３の係合部４３１が対応して係合される複数の第４の係合部５２１が設けられ、アダプタリング４１の外周面４３の外径寸法が、組み合わせるランプカバー５１の端口寸法に対応するため、異なる端口規格を有するランプカバー５１は、同様にアダプタリング４１を介して本考案の排水構造を有するランプホルダー１１上に結合させることができる。即ち、使用者は実際の必要に応じてアダプタリング４１を選択し、異なる端口規格を有するランプカバー５１は、排水構造を有するランプホルダー１１を共用することができる。さらに、アダプタリング４１は、透光可能なプラスチック材料からなり、アダプタリング４１により構成された照明装置は、照射範囲が大幅に拡大し、その照明効果を高めることができる。
【００１４】
本考案の第２実施形態に係る照明装置は、ランプホルダー１１の第１の端面１２上に嵩上げ部１４が一体に突設形成され、嵩上げ部１４に凹部１４１及びその排水チャネル１４２（図８を参照する）が凹設されているため、本考案の第２実施形態に係る照明装置は、電源に接続された湿気を集め、排水チャネル１４２を介して外部へ排出させることができる上、アダプタリング４１を介して寸法規格が異なるランプカバー５１を接続することもできる。
【符号の説明】
【００１５】
１１  ランプホルダー
１２  第１の端面
１３  第２の端面
１４  嵩上げ部
１５  第１の係合部
２１  ランプアセンブリ
２２  ＬＥＤ基板
２３  点灯回路
２４  引っ掛け爪
３１  ランプカバー
３２  端口
３３  第２の係合部
４１  アダプタリング
４２  内周面
４３  外周面
５１  ランプカバー
５２  端口
１１１  接続端
１３１  組立ベース
１４１  凹部
１４２  排水チャネル
２２１  ＬＥＤ発光部材
２２２  開口
３２１  切欠き
４２１  第２の係合部
４３１  第３の係合部
５２１  第４の係合部
Ａ  標示領域
【図１】
0003226319.tif 000003
【図２】
0003226319.tif 000004
【図３】
0003226319.tif 000005
【図４】
0003226319.tif 000006
【図５】
0003226319.tif 000007
【図６】
0003226319.tif 000008
【図７】
0003226319.tif 000009
【図８】
0003226319.tif 000010